(57)【要約】      （修正有）【課題】デザイン性が高く水平方向全周から視認可能なアナログ時計を提供する。【解決手段】略水平な回転軸１３周囲に回転可能とされる時針１１分針１２と、時針１１分針１２の回転軸１３を駆動する駆動部２５と、駆動部２５および時針１１分針１２を鉛直軸線周りに回動可能に支持する支持回動手段３０と、時針１１分針１２が外側から視認可能として、駆動部２５および時針１１分針１２の周囲を囲むカバー２１と、を有し、時針１１分針１２の前表面が視認可能となるように、時針１１分針１２の後表面およびカバー２１に対して時針１１分針１２の前表面の明度または輝度の状態が設定されてなる。【選択図】図１
2016212046.tif 000002
【特許請求の範囲】
【請求項１】
略水平な回転軸周囲に回転可能とされる時針分針と、
該時針分針の回転軸を駆動する駆動部と、
前記駆動部および前記時針分針を鉛直軸線周りに回動可能に支持する支持回動手段と、
前記時針分針が外側から視認可能として、前記駆動部および前記時針分針の周囲を囲むカバーと、を有し、
前記時針分針の前表面が視認可能となるように、前記時針分針の後表面および前記カバーに対して前記時針分針の前表面の明度または輝度の状態が設定されてなることを特徴とするアナログ時計。
【請求項２】
前記カバーには、前記時針分針の位置で時刻を表示する時刻表示部が設けられることを特徴とする請求項１記載のアナログ時計。
【請求項３】
前記カバーが略球体とされ、前記時刻表示部が前記鉛直軸線周りで水平な円形に設けられることを特徴とする請求項１または２記載のアナログ時計。
【請求項４】
前記鉛直軸線に対して前記時針分針が視認側に位置することを特徴とする請求項１から３のいずれか記載のアナログ時計。
【請求項５】
前記駆動部の駆動を制御する制御部が前記支持回動手段の回動しない基部側に設けられることを特徴とする請求項１から４のいずれか記載のアナログ時計。
【請求項６】
前記支持回動手段が、前記駆動部を上側から支持するか、または、前記駆動部を下側から支持することを特徴とする請求項１から５のいずれか記載のアナログ時計。
【請求項７】
前記駆動部に駆動源としてのモータが設けられ、該モータへ電力を供給する電源が前記支持回動手段の回動しない基部側に設けられることを特徴とする請求項１から６のいずれか記載のアナログ時計。
【請求項８】
前記支持回動手段が、前記電源から前記モータへの電力供給配線とされていることを特徴とする請求項７記載のアナログ時計。
【発明の詳細な説明】
【技術分野】
【０００１】
本発明はアナログ時計に関し、特に水平方向の全周どの方向からみても視認可能な時計に用いて好適な技術に関する。
【背景技術】
【０００２】
アナログ時計としては、視認正面である文字盤に法線方向の軸線に回動可能として取り付けられた時針分針を有するものが一般的であり、このような時計は文字盤に正対する方向からしか正確な時刻を視認できないため、そのデザイン性に制約があった。また、駅のコンコースなど大空間において大人数に対して同時に視認可能とするため、つまり、設置場所の周囲全方向から視認可能とするためには、周囲に複数の時計を配置するか、文字盤を直交して四つ設けた時計を空間中央に配置することが知られている。
【０００３】
また、文字盤が一つだけで、全周方向から見ても時刻の視認を可能とする構成として、普通の時計（１）の正面に遮光板（３）を垂直に固定し、人間の目の残留視覚機能に合わせて、モータ（２）で回転させて、更に、明るくするために環状ランプ（４）或いは電球で投光するとともに、ランプ（４）或いは電球の光線が人間の目に入らないように円筒遮光板（５）を使用する構成が特許文献１に記載されている。
【先行技術文献】
【特許文献】
【０００４】
【特許文献１】特開平０８−０６２３５０号公報
【発明の概要】
【発明が解決しようとする課題】
【０００５】
しかし、上記文献記載の技術では、既存の時計と、文字盤に直交する遮光板とを取り付けこれらを回転させるため、デザインの自由度は大きく制限されていた。
さらに、このようなアナログ時計では、文字盤およびアナログ時計のムーブメントを回転させることにより時刻のずれが生じる可能性があるという問題がある。また、大きい慣性モーメントを持つ指針等を用いることはできないという課題があった。
【０００６】
また、従来のアナログ時計では、回転駆動トルクが大きい部分に慣性モーメントが大きい部品、すなわち、重量が大きく、立体的な形状などを有する電源あるいは駆動手段などを取り付ける構成では、これらの部品に起因するデザインに対する制約が大きくなってしまうという問題があった。特に、大空間、多人数に対して同時に時刻を表示する場合には、時針等の個々の部品が大きくなるため、強度上や、駆動能力等による制約が特に多くなっていた。
【０００７】
本発明は、上記の事情に鑑みてなされたもので、デザインの自由度が大きい表示部を備えたアナログ時計を提供すること、時計の全周方向から視認可能なアナログ時計を提供可能とするという目的を達成しようとするものである。
【課題を解決するための手段】
【０００８】
本発明のアナログ時計は、略水平な回転軸周囲に回転可能とされる時針分針と、
該時針分針の回転軸を駆動する駆動部と、
前記駆動部および前記時針分針を鉛直軸線周りに回動可能に支持する支持回動手段と、
前記時針分針が外側から視認可能として、前記駆動部および前記時針分針の周囲を囲むカバーと、を有し、
前記時針分針の前表面が視認可能となるように、前記時針分針の後表面および前記カバーに対して前記時針分針の前表面の明度または輝度の状態が設定されてなることにより上記課題を解決した。
本発明のアナログ時計の前記カバーには、前記時針分針の位置で時刻を表示する時刻表示部が設けられることができる。
本発明のアナログ時計は、前記カバーが略球体とされ、前記時刻表示部が前記鉛直軸線周りで水平な円形に設けられることができる。
本発明のアナログ時計は、前記鉛直軸線に対して前記時針分針が視認側に位置することができる。
本発明のアナログ時計は、前記駆動部の駆動を制御する制御部が前記支持回動手段の回動しない側に設けられることができる。
本発明のアナログ時計は、前記支持回動手段が、前記駆動部を上側から支持するか、または、前記駆動部を下側から支持することができる。
本発明のアナログ時計は、前記駆動部に駆動源としてのモータが設けられ、該モータへ電力を供給する電源が前記支持回動手段の回動しない側に設けられることができる。
本発明のアナログ時計は、前記支持回動手段が、前記電源から前記モータへの電力供給配線とされていることができる。
【０００９】
本発明のアナログ時計は、略水平な回転軸周囲に回転可能とされる時針分針と、
該時針分針の回転軸を駆動する駆動部と、
前記駆動部および前記時針分針を鉛直軸線周りに回動可能に支持する支持回動手段と、
前記時針分針が外側から視認可能として、前記駆動部および前記時針分針の周囲を囲むカバーと、を有し、
前記時針分針の前表面が視認可能となるように、前記時針分針の後表面および前記カバーに対して前記時針分針の前表面の明度または輝度の状態が設定されてなることにより、鉛直軸線周りに時針分針を高速で回転させることで、人間の目の持っている残像現象を利用して、明度または輝度の状態が設定された時針分針の前表面のみを視認させることが可能となる。したがって、鉛直軸線の周囲において全方向から時針分針の前表面の角度位置が視認可能となり、アナログ時計としての時刻表示を視認可能とすることができる。
【００１０】
本発明のアナログ時計の前記カバーには、前記時針分針の位置で時刻を表示する時刻表示部が設けられることにより、鉛直軸線の周囲で回転している時針分針の角度位置によって時刻表示を識別可能とすることができる。
【００１１】
本発明のアナログ時計は、前記カバーが略球体とされ、前記時刻表示部が前記鉛直軸線周りで水平な円形に設けられることにより、鉛直軸線の周囲で回転している時針分針の水平軸周りの角度位置によって時刻表示を識別可能とすることが鉛直軸線の周囲において全方向から可能となる。
【００１２】
本発明のアナログ時計は、前記鉛直軸線に対して前記時針分針が視認側に位置することにより、鉛直軸線の周囲で回転している時針分針の前表面が、時針分針を支持する支持回動軸線によって遮られることがないため、常に回転している時針分針の前表面を視認可能とすることができる。
【００１３】
本発明のアナログ時計は、前記駆動部の駆動を制御する制御部が前記支持回動手段の回動しない基部側に設けられることにより、支持回動手段が回転させるべき大きさ・重さを縮小して、必要な駆動力を小さくすることができる。これにより、支持回動手段そのものを小さくすることが可能となる。
【００１４】
本発明のアナログ時計は、前記支持回動手段が、前記駆動部を上側から支持するか、または、前記駆動部を下側から支持することができ、これにより、デザイン性を向上することが可能となる。
【００１５】
本発明のアナログ時計は、前記駆動部に駆動源としてのモータが設けられ、該モータへ電力を供給する電源が前記支持回動手段の回動しない基部側に設けられることにより、電源を回転する必要がないため、支持回動手段そのものを小さくすることが可能となる。
【００１６】
本発明のアナログ時計は、前記支持回動手段が、前記電源から前記モータへの電力供給配線とされていることにより、駆動部と時針分針とカバーとの支持と、駆動部と時針分針との回動と、駆動部への電力供給と、を兼ねることができる。
【発明の効果】
【００１７】
本発明によれば、鉛直軸線の周囲において全方向から視認可能で大空間において大人数に対して同時に視認可能とし、かつ、デザイン性に優れるとともに、デザインの自由度に対する制約を極力排するアナログ時計を提供可能とすることができるという効果を奏することが可能となる。
【図面の簡単な説明】
【００１８】
【図１】本発明に係るアナログ時計の第１実施形態を示す正面図である。
【図２】本発明に係るアナログ時計の第１実施形態の時針分針および駆動部付近を示す拡大正面図である。
【図３】本発明に係るアナログ時計の第１実施形態の時針分針および駆動部付近を示す拡大平面図である。
【図４】本発明に係るアナログ時計の第１実施形態のカバーを示す正面図である。
【図５】本発明に係るアナログ時計の第１実施形態のカバー付近を示す斜視図である。
【図６】本発明に係るアナログ時計の第１実施形態の鉛直軸基端側を示す正面図である。
【図７】本発明に係るアナログ時計の第１実施形態の鉛直軸基端側を示す下面図である。
【図８】本発明に係るアナログ時計の第１実施形態の設置例を示す斜視図である。
【図９】本発明に係るアナログ時計の第２実施形態示す斜視図である。
【図１０】本発明に係るアナログ時計の第２実施形態の時針分針および駆動部付近を示す拡大平面図である。
【図１１】本発明に係るアナログ時計の第２実施形態の設定例を示す斜視図である。
【発明を実施するための形態】
【００１９】
以下、本発明に係るアナログ時計の第１実施形態を、図面に基づいて説明する。
図１は、本実施形態におけるアナログ時計を示す正面図であり、図２は、本実施形態における時針分針および駆動部付近を示す拡大正面図であり、図３は、本実施形態における時針分針および駆動部付近を示す拡大平面図であり、図４は、本実施形態におけるカバーを示す正面図であり、図５は、本実施形態における表示部付近を示す斜視図であり、図６は、本実施形態における基部を示す正面図であり、図７は、本実施形態における基部を示す下面図であり、図８は、本実施形態における設置例を示す斜視図であり、図において、符号１０は、アナログ時計である。
【００２０】
本実施形態に係るアナログ時計１０は、図１〜図３に示すように、時針１１および分針１２を有する表示部２０と、表示部２０を支持するとともに鉛直軸線周りに回転駆動するための鉛直軸部３０と、鉛直軸部３０を天井等に支持固定する基部４０と、駆動制御する制御部５０とからなるものとされる。
【００２１】
表示部２０は、図１〜図３に示すように、時針１１および分針１２が収納された球形のカバー２１と、カバー２１中心位置に配されて時針１１および分針１２を駆動する駆動部２５と、を有する。
【００２２】
鉛直軸部３０の先端側がカバー２１の頂部中心を貫通して、鉛直軸部３０の先端に駆動部２５が取り付けられる。
鉛直軸部３０の基端側には、基部４０が設けられて天井Ｃに吊り下げるように取り付けられている。鉛直軸部３０、基部４０は、支持回動手段を構成している。
【００２３】
表示部２０において、図１〜図３に示すように、時針１１および分針１２は、所定の厚みを有する板体とされて、それぞれの一端が同心状とされる水平軸（回転軸）１３に接続されて回転駆動可能とされている。
【００２４】
時針１１の前表面１１ａと分針１２の前表面１２ａとがほぼ同色に設定されるとともに、同様に、時針１１の後表面１１ｂと分針１２の後表面１２ｂとがほぼ同色に設定されている。また、時針１１の前表面１１ａおよび分針１２の前表面１２ａに対して、時針１１の後表面１１ｂおよび分針１２の後表面１２ｂの色彩が、時針１１および分針１２をカバー２１外部から視認可能とするために、明度・輝度に差を有するように設定されている。
【００２５】
なお、時針１１の前表面１１ａと後表面１１ｂとを接続する側面は、図３に示すように、前表面１１ａ側と後表面１１ｂ側とに二分されており、前表面１１ａ側が前表面１１ａと同色にされるとともに、後表面１１ｂ側が後表面１１ｂと同色になるように設定されている。
前表面１１ａ側と同色の領域と、後表面１１ｂ側と同色の領域とにおいて、これらの厚さ方向における幅寸法はそれぞれ時針１１における厚さ寸法の半分程度されることができるが、この側面すべてを前表面１１ａと同色とすることや、側面すべてを後表面１１ｂと同色とすることもできる。
【００２６】
同様に、分針１２の前表面１２ａと後表面１２ｂとを接続する側面は、図３に示すように、前表面１２ａ側と後表面１２ｂ側とに二分されており、前表面１２ａ側が前表面１２ａと同色にされるとともに、後表面１２ｂ側が後表面１２ｂと同色になるように設定されている。前表面１２ａ側と後表面１２ｂ側との領域において厚さ方向における幅寸法は、それぞれ分針１２の厚さ寸法の半分程度されることができるが、この側面すべてを前表面１２ａと同色とすることや、側面すべてを後表面１２ｂと同色とすることもできる。
【００２７】
時針１１および分針１２は、平面視した駆動部２５の中心に位置する鉛直軸部３０に対して、視認側となる前表面１１ａ，１２ａが、鉛直軸部３０によって視線を遮られない位置、つまり、時針１１の後表面１１ｂと分針１２の後表面１２ｂとが鉛直軸部３０側に近接するように設けられている。
時針１１および分針１２は、鉛直軸部３０と平行な平面内で水平軸１３周りを回転するように設けられて、平面視して表示部２０の中心となる鉛直軸部３０に対して時針１１および分針１２が外側に位置した状態を維持して回転するように設けられている。
【００２８】
水平軸１３は、球状のカバー２１の略中心位置に配置され、長い方の分針１２先端が、分針１２の時刻表示角度および水平方向回転角度に関わらず、カバー２１内面に対してほぼ均等な距離を維持するように設定されている。
【００２９】
カバー２１は、図１〜図３に示すように、例えば透光性を有する樹脂製の球体とされて、カバー２１の色が後述するように時針１１および分針１２の前表面１１ａ，１２ａに対して、その明度・輝度を時針１１および分針１２をカバー２１外部から視認可能となるように設定されている。
【００３０】
カバー２１には、図４に示すように、時針１１および分針１２の位置で時刻を表示するための時刻表示部として、鉛直軸線周りで水平な円形に形成された線２２ａ，２２ｂ，２２ｃ，２２ｄ，２２ｅが通常の時計における目盛りとして設けられる。これらの線２２ａ，２２ｂ，２２ｃ，２２ｄ，２２ｅは、それぞれ、１時〜５時および７時〜１１時までを示す目盛りに対応している。線２２ａ，２２ｂ，２２ｃ，２２ｄ，２２ｅは、カバー２１に対して識別可能な色とされていればよく、例えば、時針１１および分針１２の前表面１１ａ，１２ａと同系色とされることができる。
【００３１】
駆動部２５は、図１〜図３に示すように、鉛直軸部３０の先端に接続されて、この鉛直軸部３０周りに回転可能とされている。駆動部２５は、鉛直軸部３０を介して基部４０に設けられた電源に接続されている。駆動部２５は、水平軸（回転軸）１３を回転駆動するアナログ時計１０のムーブメントとされている。この駆動部２５内部は、水平軸１３を回転駆動する図示しない歯車やステッピングモータ、ロータなどの駆動手段等からなる従来から知られた構成とされることができる。
【００３２】
駆動部２５が水平軸１３を回転駆動することにより、水平軸１３に接続された時針１１および分針１２が所定の角度を為すように回転駆動され、時刻を表示することが可能とされている。
駆動部２５の表面は、時針１１の後表面１１ｂと分針１２の後表面１２ｂとカバー２１と同系色とされることができる。
【００３３】
鉛直軸部３０は、図１〜図７に示すように、略鉛直方向に設けられた同心状の二重管とされ、外管３１と内管３２とからなるものとされている。
【００３４】
外管３１は、図１〜図７に示すように、金属等の導電性を有する管状として形成され、上端側となる基端３１ａが基部４０に固定されるとともに、基部４０に備えられた後述する電源４２における一方の電極４２ｂに電極３３ｅを介して導通状態を維持するように接続されている。
【００３５】
外管３１の下端側となる先端３１ｂは、駆動部２５の上面に対向する位置にする開放端とされている。外管３１の下端側の途中には、カバー２１を貫通する位置としてこのカバー２１を固定する環状金具３１ｃに対して外管３１が貫通するように固定されている。
外管３１の先端３１ｂは、また、駆動部２５に備えられた図示しないモータにおける一方の電極２５ｂに対して、駆動部２５の回動時においても導通状態を維持するようにブラシ３４ｂを介して接続されている。
【００３６】
ブラシ３４ｂは、図１〜４に示すように、銅等の金属からなる弾性を有する板状の導通体とされ、平面視して外管３１から所定距離離間した位置に駆動部２５の上面より鉛直上方に突出して設けられた電極２５ｂにその基端が固定されるとともに、先端が外管３１表面を押圧するように接触可能として設けられている。本実施形態では、ブラシ３４ｂは、外管３１を径方向両側から挟持して押圧するように、２枚設けられている。
【００３７】
内管３２は、図１〜図７に示すように、外管３１内に同心状内側に位置するとともに、金属等の導電性を有する管状として形成され、外管３１に対して回動可能にかつ絶縁状態を維持するように設けられている。内管３２としては、強度的に問題がなければ、管状に限定されるものではなく、棒状とすることもできる。
【００３８】
内管３２の上端側となる基端３２ａが基部４０側に対向する位置にある外管３１の基端３１ａよりも上側に突出し、駆動部２５を鉛直軸周りに回転する回転駆動手段としてのモータ３３の駆動軸３３ａに接続固定されている。
内管３２の上端側となる基端３２ａは、また、基部４０に備えられた後述する電源４２における一方の電極４２ａに対して、内管３２の回動時においても導通状態を維持するようにブラシ３４ａを介して接続されている。
【００３９】
ブラシ３４ａは、図１〜図７に示すように、銅等の金属からなる弾性を有する板状の導通体とされ、平面視して内管３２から所定距離離間した位置にモータ３３の下面より鉛直下方に突出して設けられた電極３３ｄにその基端が固定されるとともに、先端が外管３２表面を押圧するように接触可能として設けられている。本実施形態では、ブラシ３４ａは、内管３２を径方向片側から押圧するように１枚設けられている。
【００４０】
内管３２の下端側となる先端３２ｂは、駆動部２５の上面側に一体として回転可能なように固定されているとともに、駆動部２５に設けられた図示しないモータに接続された電極２５ａに接続されて導通している。
【００４１】
基部４０は、図１〜図７に示すように、その下側を覆うカバー４１内に、モータ３３および、電源４２，４３などが収納されて、ネジやピン等の固定具４４等により天井Ｃに固定されている。電源４２は、駆動部２５への電力を供給可能とされて外管３１および内管３２等を介して駆動部２５に接続され、電源４３は、モータ３３への電力を供給可能とされて電極４３ａ，４３ｂを介してもター３３に接続されている。
【００４２】
基部４０には、鉛直軸部３０の外管３１の外側位置に、ワイヤ３６が３本張られて、カバー２１頂部付近に固定された環状金具３１ｃに接続固定され、表示部２０を吊り下げて支持した際に、表示部２０の振動を防止するとともに、鉛直軸部３０による表示部２０吊り下げ支持に対する固定補助具とされている。
【００４３】
制御部５０は、図１に示すように、カバー４１内に収納され、駆動部２５およびモータ３３に接続されるとともに、後述するように駆動部２５およびモータ３３の駆動を制御する。制御部５０は、カバー４１内に設けられてもよく、また、基部４０とは別体として配置されることもできる。
【００４４】
本実施形態におけるアナログ時計１０においては、時針１１の前表面１１ａと分針１２の前表面１２ａとの色が、時針１１の後表面１１ｂと分針１２の後表面１２ｂとカバー２１と駆動部２５表面とに対して、明度差を有して視認可能となるように設定されている。ここで、前表面１１ａ，１２ａとカバー２１等を反対色とするだけでは視認性が高くならないので、これらの色彩が明度差を有するように設定することが必要である。
例えば、時針１１の前表面１１ａと分針１２の前表面１２ａとを、黒系統あるいは紺系統の色彩を有するよう塗装し、カバー２１および後表面１１ｂ等を黄色系の色に設定することができる。
【００４５】
このように明度差を設定した状態で、制御部５０の制御によって、モータ３３を駆動して、時針１１および分針１２を駆動部２５とともに内管３２の回転に伴って回転させることにより、時針１１の後表面１１ｂと分針１２の後表面１２ｂとが同系色のカバー２１を透過して視認することによって視認されにくくなるのに対し、時針１１の前表面１１ａと分針１２の前表面１２ａとが反対色となっているカバー２１を透過して視認しやすくなるために、時針１１の前表面１１ａと分針１２の前表面１２ａのみが外側から充分視認可能となる。
【００４６】
本実施形態では、鉛直軸線となる内管３２によって時針１１、分針１２を高速で回転させた状態で、黄色い光透過性を有するカバー２１を透過し、人間の目の持っている残像現象を利用して、明度差を有する黒色に塗装された時針１１と分針１２の前表面１１ａ，１２ａのみを視認させることが可能となる。したがって、鉛直軸線の周囲において全方向から時針１１と分針１２の前表面１１ａ，１２ａで形成されるそれぞれの角度位置が視認可能となり、アナログ時計１０としての時刻表示を水平方向の全周で視認可能とすることができる。
【００４７】
なお、残像現象を利用して全周から視認させるためには、モータ３３による駆動部２５の回転を毎秒１０回程度に設定することが必要である。また、この回転を毎秒７回程度より小さくすると、残像現象によって全周から時刻視認ができなくなるため好ましくなく、この回転を毎秒１５回程度より大きくすると、モータ３３への負荷が大きくなるとともに、時針１１分針１２への遠心力が大きくなりすぎるため好ましくない。
【００４８】
このとき、線２２ａ，２２ｂ，２２ｃ，２２ｄ，２２ｅがカバー２１の全周に設けられているので、これらに対して回転する時針１１と分針１２との角度位置を比較することで正確な時刻を視認することができる。また、鉛直方向の「１２時」に関しては、外管３１を目盛り代わりとして対応することが可能である。
【００４９】
なお、本実施形態では、時針１１の前表面１１ａおよび分針１２の前表面１２ａに対して、カバー２１および後表面１１ｂ、後表面１２ｂの色彩が、時針１１および分針１２をカバー２１外部から視認可能とするために、それぞれ、黄色系統の色彩と、黒色系として、明度差を設定したが、他の色組の例として、前表面１１ａ，１２ａが黒色系、カバー２１が白色系の組、前表面１１ａ，１２ａが赤色系、カバー２１が白色系の組、前表面１１ａ，１２ａが赤色系、カバー２１が黄色系の組、前表面１１ａ，１２ａが青色系、カバー２１が黄色系の組、といった組み合わせが可能である。なお、本発明の一様態によれば、前表面１１ａ、１２ａに対するカバー２１および後表面１１ｂ、１２ｂの色彩は、常に一定の明度および輝度差を有する必要はなく、例えば前表面１１ａ、１２ａにのみ蛍光性塗料を塗布しておき、明所下から暗所下に転じた場合において、特に際立った視認性を発揮する構成とすることができる。その他、特定の条件下において明度および輝度の差がより際立つ構成とすることも可能である。
【００５０】
さらに、カバー２１および後表面１１ｂ、後表面１２ｂを黒・紺系の濃色系に設定し、時針１１の前表面１１ａおよび分針１２の前表面１２ａにＬＥＤあるいは有機ＥＬパネルなどの発光手段を設けて輝度差を有するように設定することで、外部から時針１１、分針１２を視認可能とすることもできる。この場合でも、電源４２，４３は表示部２０には設けられていない内ので、モータ３３を大型化する必要がない。
【００５１】
なお、本実施形態における制御部５０の制御により、電源４２，４３からの電力供給をおこなって駆動部２５およびモータ３３を駆動する。電源４２から駆動部２５への電力供給は、一方の回路として、電極４２ａ、電極３３ｄ、ブラシ３４ａ、内管３２、電極２５ａを介するとともに、電極４２ｂ、電極３３ｅ、外管３１、ブラシ３４ｂ、電極２５ｂを経由することになる。外管３１内管３２が駆動部２５への電力供給配線とされている。
【００５２】
また、電源４３がモータ３３に接続され、モータ３３への電力供給がおこなわれて駆動部２５が回転している。ここで、ブラシ３４ａ，３４ｂがそれぞれ内管３２，外管３１に対する接触状態を維持することで、駆動部２５が回動している状態でも、電力供給を途切れずにおこなうことができる。
また、電源４２，４３を駆動部２５に設ける必要がないため、駆動部２５を軽量化、小型化して、モータ３３への負荷を低減し、モータ３３を大型化する必要をなくすことができる。
【００５３】
制御部５０では、モータ３３による表示部２０の回転に同期して、鉛直軸周りの時針１１、分針１２に対する遠心力の影響で時刻表示の不正確さが生じてしまうことを防止するように駆動部２５の駆動を制御するように設定されている。具体的には、時針１１、分針１２が水平方向に傾いていく場合には、作用する遠心力に対抗するように水平軸１３周りの回転を抑え、時針１１、分針１２が鉛直方向に傾いていく場合には、作用する遠心力を抑えるように水平軸１３周りの回転を促すように制御することが可能である。
【００５４】
また、ステッピングモータ等とされる駆動部２５の駆動手段にておいて、水平軸１３の回転角度を検出する検出手段を設け、この検出手段の出力によって水平軸１３の回転駆動を制御するようにしてもよい。
【００５５】
本実施形態に係るアナログ時計１０は、このような構成により、表示部２０のデザイン自由度が高い状態を維持しながら、大空間で多人数が同時に視認可能とでき、新規で見やすい表示部を有するアナログ時計を実現することができる。また、本発明のアナログ時計では、表示部を取り付けるとき、および、取り外すときの作業性もよい。
【００５６】
本実施形態によれば、上記のような構成としたので、デザインへの制約を低減しつつ、水平方向全周から視認可能なアナログ時計を提供することが可能となる。
これにより、図８に示すように、駅のコンコースなど、大空間において多人数が同時に時刻を視認可能なアナログ時計１０を空間中央に１つ設置することで、当該空間内の大部分から時刻を視認可能な状態を実現することができる。
【００５７】
時刻表示部としての円形の線２２ａ，２２ｂ，２２ｃ，２２ｄ，２２ｅは、正面から視認した際に各時刻を示すように上下方向間隔を設定したが、大空間の上側にアナログ時計１０を吊り下げた場合には、下からの視線に対応してこの線２２ａ，２２ｂ，２２ｃ，２２ｄ，２２ｅの上下間隔を適宜設定することも可能である。
【００５８】
またカバー２１は、前表面１１ａ，１２ａの視認性を高めることができれば、完全な球体としないこともでき、例えば、頂部付近または底部付近に貫通孔などを設けることも可能である。さらに、カバー２１としては、駆動部２５および時針１１，分針１２の周囲を囲んでいればよく、円筒状、円錐状、などの形状とすることも可能である。
【００５９】
以下、本発明に係るアナログ時計の第２実施形態を、図面に基づいて説明する。
図９は、本実施形態におけるアナログ時計を示す斜視図であり、図１０は、本実施形態におけるアナログ時計の駆動部２５付近を示す拡大平面図であり、図１１は、本実施形態における設置例を示す斜視図である。
【００６０】
本実施形態において上述した第１実施形態と異なるのは基部４０が下側に位置するとともに、もう一組の時針１１Ｂ分針１２Ｂに関する点であり、これ以外の対応する構成要素に関しては、同一の符号を付してその説明を省略する。
【００６１】
本実施形態においては、図９〜図１０に示すように、基部４０が表示部２０よりも下側に位置するとともに、この基部４０が下側の状態でアナログ時計１０を載置可能なものとされる。
【００６２】
これにともなって、ワイヤ３６に換えて、支柱３８が３本設けられてカバー２１を下から支持するとともに、外管３１の上端側が先端３１ｂとなり、基端３１ａが下端側となって基部４０に固定される。
また、内管３２の上端側となる先端３２ｂが駆動部２５に固定され、下端側となる基端３２ａが下端側となってモータ３３に接続される。
【００６３】
時針１１Ｂおよび分針１２Ｂは、時針１１および分針１２と略同一の構成とされ、時針１１および分針１２に対して駆動部２５の逆側に設けられる。
時針１１Ｂの前表面１１Ｂａと分針１２Ｂの前表面１２Ｂａとが、時針１１の後表面１１ｂと分針１２の後表面１２ｂと同じ向きになるように水平軸（回転軸）１３Ｂに接続されている。つまり、時針１１の後表面１１ｂと分針１２の後表面１２ｂとが、時針１１Ｂの後表面１１Ｂｂと分針１２Ｂの後表面１２Ｂｂと対向するように設けられている。
時針１１Ｂおよび分針１２Ｂは、時針１１および分針１２と同様、前表面１１Ｂａ，１２Ｂａ側から見た際に、前表面１１ａ，１２ａと同一の時刻を表示することができるように、駆動部２５内部において、水平軸（回転軸）１３Ｂを駆動するようにムーブメントが構成されている。
【００６４】
また、時針１１Ｂの前表面１１Ｂａと分針１２Ｂの前表面１２Ｂａとは、時針１１および分針１２と同様に、時針１１Ｂの後表面１１Ｂｂと分針１２Ｂの後表面１２Ｂｂとカバー２１に対して、その明度が差を有して視認可能となるように設定されている。
前表面１１Ｂａ，１２Ｂａと、前表面１１ａ，１２ａとは、同色になるように設定されることができる。
【００６５】
２組の針セットの中間位置つまり、時針１１の後表面１１ｂおよび分針１２の後表面１２ｂ、および、時針１１Ｂの後表面１１Ｂｂと分針１２Ｂの後表面１２Ｂｂとの間には、回転板２６が設けられて、駆動部２５と一体として鉛直軸周りに回転されるようになっている。
【００６６】
回転板２６は、カバー２１内部で回転可能な程度で、かつ、時針１１および分針１２のセットに対して、時針１１Ｂおよび分針１２Ｂのセットが同時に視認されない程度の直径を有するものとされ、カバー２１の内径よりもやや小さい程度に設定されている。また、鉛直軸線周りに回転された際に、時針１１、分針１２、時針１１Ｂ、分針１２Ｂに接触することがない程度に剛性を有し、且つ軽量化された構成とされている。回転板２６は、鉛直軸部３０を通る平面と一致するように駆動部に取り付けられている。
【００６７】
回転板２６は、カバー２１と同系色とされて、前表面１１Ｂａ，１２Ｂａおよび前表面１１ａ，１２ａに対して明度差を有するようになっている。回転板２６は、光透過性を有するものでもよいが、不透明なものとすることもできる。
回転板２６が不透明とされて光透過性を有さない場合には、後表面１１ｂ，１２ｂおよび後表面１１Ｂｂ，１２Ｂｂを、前表面１１Ｂａ，１２Ｂａおよび前表面１１ａ，１２ａと同じ色とすることもできる。
【００６８】
これにより、時針１１および分針１２のセットに対して、時針１１Ｂおよび分針１２Ｂのセットが表裏一体として時刻を表示するとともに、この２組のセットが同時に回転することで水平方向全周から時刻を視認することが可能となる。前表面１１Ｂａ，１２Ｂａおよび前表面１１ａ，１２ａに対して、カバー２１、駆動部２５表面、回転板２６が、明度差を有することで前表面１１Ｂａ，１２Ｂａおよび前表面１１ａ，１２ａが視認可能となっている。
【００６９】
さらにこのとき、時針１１および分針１２のセットが観察者に正対する回数に対して、時針１１Ｂおよび分針１２Ｂのセットが観察者に正対する回数が積算されるため、時針１１および分針１２のセット１組のみを有する第１実施形態に対して、本実施形態における鉛直軸線周りの回転数は略半分程度とすることができる。これにより、モータ３３の性能を半分程度にして、小型化、軽量化、省スペース化を図り、製造コストを削減することが可能となる。
【００７０】
本実施形態に係るアナログ時計１０は、このような構成により、表示部２０のデザイン自由度が高い状態を維持しながら、大空間で多人数が同時に視認可能とでき新規で見やすい表示部を有するアナログ時計を実現することができる。また、本発明のアナログ時計では、表示部を取り付けるとき、および、取り外すときの作業性もよい。
【００７１】
本実施形態に係るアナログ時計１０は、図１１に示すように、広場、公園等の屋外空間に立設する塔形状に設けることもできる。
このように、本発明は、吊り下げ型か、据置型かを適宜選択することができるため制約を受けずに様々なデザインに対応することが可能となる。
【００７２】
なお、上記の実施形態において鉛直軸部３０の外管３１、内管３２を金属製としたが、導電性を有する材質からなる構成とすることもできる。また、内管３２の内部に別に配線となる導線等をもうけて駆動部２５に電力供給することも可能である。
【産業上の利用可能性】
【００７３】
本発明の活用例としては、駅のコンコースや公園等、一定の広さを有する空間において多人数が同時に時刻を視認可能なアナログ時計１０を空間中央に１つ設置することで、当該空間内の大部分から時刻を視認可能な状態を実現することができる。
【符号の説明】
【００７４】
１０…アナログ時計
１１，１１Ｂ…時針
１１ａ，１１Ｂａ…前表面
１１ｂ，１１Ｂｂ…後表面
１２，１２Ｂ…分針
１２ａ，１２Ｂａ…前表面
１２ｂ，１２Ｂｂ…後表面
１３，１３Ｂ…水平軸（回転軸）
２０…表示部
２１…カバー
２２ａ，２２ｂ，２２ｃ，２２ｄ，２２ｅ…線（時刻表示部）
２５…駆動部
２５ａ，２５ｂ…電極
２６…回転板
３０…鉛直軸部（支持回動手段）
３１…外管
３１ａ…基端
３１ｂ…先端
３１ｃ…環状金具
３２…内管
３２ａ…基端
３２ｂ…先端
３３…モータ
３３ａ…駆動軸
３３ｄ，３３ｅ…電極
３４ａ，３４ｂ…ブラシ
３６…ワイヤ
３８…支柱
４０…基部
４１…カバー
４２，４３…電源
４２ａ，４２ｂ…電極
４４…固定具
５０…制御部
【図１】
2016212046.tif 000003
【図２】
2016212046.tif 000004
【図３】
2016212046.tif 000005
【図４】
2016212046.tif 000006
【図５】
2016212046.tif 000007
【図６】
2016212046.tif 000008
【図７】
2016212046.tif 000009
【図８】
2016212046.tif 000010
【図９】
2016212046.tif 000011
【図１０】
2016212046.tif 000012
【図１１】
2016212046.tif 000013